(57)【要約】【課題】本発明は、外観上の見栄えを損ねることなく操作性に優れたラッチ機構を備える電子機器を提供する。【解決手段】パーソナルコンピュータ（電子機器）１は、本体（第１筐体）２と、表示パネル（第２筐体）３と、これら２つの筐体２，３を連結するヒンジ４と、本体２と表示パネル３とを重ね合わせた状態に固定するラッチ機構５とを備える。ラッチ機構５は、係合部材６と係止部材７とボタン８と押出部材９とを備える。ボタン８を押すことで、係止部材７は、他端７ｃが押されて回動シャフト１２を中心に回動し、一端７ｂと係合部材６との嵌合が解除される。押出部材９が本体２に差し込まれた係合部材６を本体２の外に向かって押し戻す。【選択図】    図３
2004234194.tif 000002
【特許請求の範囲】
【請求項１】
第１筐体と、第２筐体と、これら２つの筐体を連結するヒンジと、前記第１筐体と前記第２筐体とを重ね合わせた状態に固定するラッチ機構とを備え、
前記ラッチ機構は、
前記第２筐体から突出し、前記第１筐体と前記第２筐体とを重ね合わせた状態で前記第１筐体に差し込まれる係合部材と、
前記第１筐体に内蔵され、一端で前記係合部材と嵌合して前記第１筐体と前記第２筐体とを重ねた状態に保持する係止部材と、
前記係止部材の他端を押圧し、前記一端と前記他端の間に設けられる回動シャフトを中心に前記係止部材を回転させることで、前記係合部材と前記係止部材の嵌合を解除するボタンと、
前記第１筐体に差し込まれた前記係合部材を前記第１筐体の外に向かって押し戻す押出部材と
を備えることを特徴とする電子機器。
【請求項２】
前記ラッチ機構は、前記回動シャフトを中心に前記係止部材の他端を前記ボタンに向かって回動するように付勢するねじりコイルばねを備えていることを特徴とする請求項１に記載の電子機器。
【請求項３】
前記ボタンは、前記第２筐体によって覆われない前記第１筐体の外表面に露出することを特徴とする請求項１に記載の電子機器。
【請求項４】
前記押出部材は、前記係合部材と迫合う天板と、この天板を前記第１筐体の外側に向かって付勢するコイルばねとを備えていることを特徴とする請求項１に記載の電子機器。
【請求項５】
開口部を有する本体と、
前記本体に対して開位置と閉位置との間で回動可能に前記本体と接続される表示パネルと、
前記表示パネルに設けられ、前記表示パネルが前記閉位置にあるときに前記開口部に挿入される係合部材と、
回動シャフトを有し、前記開口部に挿入された前記係合部材に一端が嵌合する嵌合位置と、前記係合部材との嵌合を解除する解除位置との間で前記回動シャフトを中心に回動可能な係止部材と、
前記本体に設けられ、前記係止部材の他端を押圧することで前記係止部材を前記嵌合位置から前記解除位置へ回動させるボタンと、
前記本体に設けられ、前記ボタンの操作に連動して前記係合部材を前記表示パネルの前記閉位置から前記開位置方向へ押圧する押出部材と
を具備することを特徴とする電子機器。
【請求項６】
前記係止部材に取付けられ、前記係止部材の一端を常に前記嵌合位置方向へ付勢するばねを具備することを特徴とする請求項５に記載の電子機器。
【請求項７】
前記押出部材に取付けられ、前記押出部材を常に前記開口部方向へ付勢するばねを具備することを特徴とする請求項５または６に記載の電子機器。
【請求項８】
前記ボタンは、前記本体の前面に露出して設けられていることを特徴とする請求項７に記載の電子機器。
【請求項９】
前記押出部材の前記係合部材を押圧する一端に設けられ、前記表示パネルが前記閉位置にあるとき前記係合部材と前記押出部材の一端との間に設けられるスペーサを具備することを特徴とする請求項８に記載の電子機器。
【発明の詳細な説明】
【０００１】
【発明の属する技術分野】
本発明は、ヒンジで連結された本体と表示パネルとを重ね合わせた状態で固定するラッチ機構を備えた電子機器に関する。
【０００２】
【従来の技術】
携帯性に優れたパーソナルコンピュータ（以降ＰＣとする）のような電子機器は、ヒンジで連結された本体と表示パネルとを備える。また、携帯中に本体と表示パネルとが開かないようにするために、電子機器は、ラッチ機構を備えている（例えば、特許文献１参照。）。ラッチ機構は、表示パネルに固定された係合部と、この係合部を保持する本体に設けられる係止装置（扉開閉装置）とを備える。
【０００３】
係止装置は、本体内に収納され、第１のカムと第２のカムと第２のカムをスライドさせるノブを備えている。第１のカムは、係合部を本体から押し出す方向に付勢するばねを有している。第２のカムは、係合部によって第１のカムが本体の中に押し込まれた状態で係合部と嵌合する方向に付勢するばねを有している。ノブは、第２のカムと係合部との嵌合を解除する方向に第２のカムをスライドさせる。
【０００４】
ノブが操作されて第２のカムと係合部との嵌合が解除されると、第１のカムによって係合部が本体から押し出される。この結果、本体から表示パネルが浮き上がる。
【０００５】
【特許文献１】
特開平５−３１１９３７号公報（段落００１２−００１５、第１図、第５図、第７図）
【０００６】
【発明が解決しようとする課題】
しかしながら、ノブをスライドさせて第２のカムと係合部を解除する構成の場合、ノブが小さかったり引っ掛りの凹凸が小さかったりすると、操作性が悪くなる。ところが、操作性を向上させるためにノブを大きくしたり引っ掛りの凹凸を大きくすると、ノブの部分が本体から突出したり表面の形状が周辺部と異なったりするので、外観上の見栄えが悪くなる。
【０００７】
そこで、本発明は、外観上の見栄えを損ねることなく操作性に優れたラッチ機構を備える電子機器を提供することを目的とする。
【０００８】
【課題を解決するための手段】
本発明にかかる電子機器は、第１筐体と、第２筐体と、これら２つの筐体を連結するヒンジと、第１筐体と第２筐体とを重ね合わせた状態に固定するラッチ機構とを備える。ラッチ機構は、係合部材と係止部材とボタンと押出部材とを備える。係合部材は、第２筐体から突出し、第１筐体と第２筐体とを重ね合わせた状態で第１筐体に差し込まれる。係止部材は、第１筐体に内蔵され、一端で係合部材と嵌合して第１筐体と第２筐体とを重ねた状態に保持する。ボタンは、係止部材の他端を押圧し、係止部材の一端と他端の間に設けられる回動シャフトを中心に係止部材を回転させることで、係合部材と係止部材の嵌合を解除する。押出部材は、第１筐体に差し込まれた係合部材を第１筐体の外に向かって押し戻す。
【０００９】
【発明の実施の形態】
本発明に係る一実施の形態の電子機器について、パーソナルコンピュータ（以降、ＰＣとする）１を一例に図１から図４を参照して説明する。図１に示すＰＣ１は、第１の筐体である本体２と、第２の筐体である表示パネル３を備える。本体２と表示パネル３は、ヒンジ４で連結されている。表示パネル３は、本体２から離れた開位置と本体２に重ね合わされた閉位置との間で回動する。本体２と表示パネル３の回動端２ａ，３ａ、すなわち、ヒンジ４が設けられた側と反対側の部分には、本体２と表示パネル３とを閉位置で固定するラッチ機構５を備えている。
【００１０】
図２に示すように、ラッチ機構５は、係合部材６と、係止部材７と、ボタン８と、押出部材９とを備える。係合部材６は、表示パネル３に突出した状態に取付けられ、表示パネル３を本体２に重ね合わせた閉位置で本体２の上面、具体的には、パームレストを兼ねるフロントカバー１０の利用者に面する前面寄りの位置に設けられた開口部１１に差し込まれる。係止部材７は、本体２に内蔵されており、開口部１１に差し込まれた係合部材６と嵌合する爪７ａを一端７ｂに備えている。また、係止部材７は、一端７ｂと他端７ｃとの間に回動シャフト１２が通されており、これを中心に嵌合位置と解除位置との間を回動する。嵌合位置は、係止部材７が係合部材６と嵌合する位置であり、解除位置は、係止部材７と係合部材６の嵌合が解除される位置である。
【００１１】
ボタン８は、係止部材７の他端７ｃと接するように配置され、表示パネル３で覆われない本体２の外表面、本実施形態では、利用者に面する前面１０ａから露出している。また、ボタン８は、両側に支持アーム８ａを備えている。この支持アーム８ａは、フロントカバー１０の裏面に取付けられる。
【００１２】
ラッチ機構５は、回動シャフト１２を中心に係止部材７の他端７ｃをボタン８に向かって回動するように、嵌合位置に向けて付勢するねじりコイルばね１３を備える。なお、本実施形態で示したねじりコイルばね１３は、ダブルトーション形であるが、シングルトーション形であっても良い。シングルトーション形のねじりコイルばねを用いる場合は、片側に設けてもよいし、両側に１つずつ、合計２つ設けてもよい。
【００１３】
押出部材９は、天板９ａとコイルばね９ｂを備える。天板９ａは、本体２に差し込まれた係合部材６と迫合う。コイルばね９ｂは、天板９ａに対して係合部材６と反対側（下面側）に配置され、天板９ａを本体２の外側に向かって付勢する。したがって、押出部材９は、本体２の開口部１１から差し込まれた係合部材６を天板９ａによって受け止めるとともに、コイルばね９ｂによって本体２の外側に向かって係合部材６を押し戻す。
【００１４】
押出部材９と係止部材７とは、同じハウジング１４に組み込まれて一つのユニットになっている。ハウジング１４は、押出部材９の天板９ａから突出する凸部９ｃが倣うスロット１４ａが設けられた壁１４ｂと、コイルばね９ｂを支えるとともに天板９ａの下面から延びるスプリングガイド９ｄが通される穴１４ｃが開けられた底部１４ｄと、天板９ａの両端から延びる抜け止め９ｅが掛かる２つの側壁１４ｅとを有している。壁１４ｂと底部１４ｄと側壁１４ｅとは、互いに直交するように配置されている。また、側壁１４ｅは、回動シャフト１２が通される穴１４ｆを有している。ねじりコイルばね１３の両端１３ａは、側壁１４ｅに掛けられ、中央部１３ｂは、係止部材７の一端７ｂに掛けられる。ハウジング１４は、本体２の内部に固定するためのホルダ１４ｇが設けられている。
【００１５】
本体２の内部には、図３に示すようにフロントカバー１０とベースカバー１５の間にインナーフレーム１６が設けられている。ハウジング１４は、このインナーフレーム１６の一部に設けられたラッチ固定部１６ａに取付けられる。なお、フロントカバー１０、ベースカバー１５、インナーフレーム１６のそれぞれの製造誤差、及びフロントカバー１０とベースカバー１５、ベースカバー１５とインナーフレーム１６の組立誤差によって生じるフロントカバー１０から天板９ａまでの距離のばらつきを調節するために、係合部材６と天板９ａの間に、スペーサ１７が取付けられている。
【００１６】
以上のように構成されたＰＣ１において、図３に示すように表示パネル３を本体２に重ね合わせた閉位置にすることで、係合部材６は、本体２の開口部１１に差し込まれて係止部材７と嵌合する。この結果、本体２と表示パネル３とが重ね合わされた状態で、固定される。
【００１７】
ヒンジ４を中心に表示パネル３を回動させて、表示パネル３を立て起す場合、フロントカバー１０の前面１０ａに露出するボタン８を押し込む。この結果、係止部材７の他端７ｃがボタン８によって押され、係止部材７が回動シャフト１２を中心に解除位置まで回動することで、爪７ａが係合部材６から外れる。係合部材６と係止部材７の嵌合が解除されると、押出部材９は、係合部材６を本体２の外に向かって押し出す。この結果、表示パネル３は、本体２から離れ、浮き上がる。また、ボタン８を離しても、表示パネル３は、本体２から浮き上がった状態で、押出部材９によって支持されている。
【００１８】
このように、ＰＣ１は、本体２の前面１０ａに設けられたボタン８を押すことで、表示パネル３が持ち上がる。したがって、利用者は、本体２と表示パネル３の間にできた隙間に指を掛けて容易に表示パネル３を立て起すことができる。また、本体２に押し込むようにボタン８を操作するので、ボタン８の表面は、ボタン８が露出する周辺の風合に合わせて滑らかに仕上げられていても操作を妨げることがない。したがって、外観上の見栄えを重視したＰＣ１を造ることができる。
【００１９】
また、係止部材７は、他端７ｃがボタン８を本体２の外に向かって押し出す方向にねじりコイルばね１３によって付勢されている。つまり、係止部材７の一端７ｂは、本体２に差し込まれた係合部材６に向かって付勢されている。したがって、押出部材９のコイルばね９ｂの力に逆らって表示パネル３を本体２側に押すことで、係合部材６と係止部材７とは、自動的に嵌合する。
【００２０】
なお、ボタン８は、係止部材７の他端７ｃを延長して一体に設けられていても良い。また、ボタンを押すことによって、係止部材と係合部材との嵌合が解除される機構であれば、本実施形態で示した係合部材６と係止部材７以外の形状及び機構であっても良い。さらに、本実施形態において、電子機器の一例としてＰＣ１を例に説明したが、ＰＤＡ（Ｐｅｒｓｏｎａｌ  Ｄｉｇｉｔａｌ  Ａｓｓｉｓｔａｎｔ）、電子手帳、電子辞書など、ヒンジで２つの筐体が連結された携帯形の電子機器であっても良い。
【００２１】
【発明の効果】
本発明によれば、外観上の見栄えを損ねることなく操作性に優れたラッチ機構を備える電子機器を提供することができる。
【図面の簡単な説明】
【図１】本発明にかかる第１の実施形態のパーソナルコンピュータを示す斜視図。
【図２】図１のパーソナルコンピュータのラッチ機構を分解して示す斜視図。
【図３】図１のパーソナルコンピュータの本体と表示パネルを重ね合わせ、ラッチ機構が嵌合している状態を示す断面図。
【図４】図３の状態からボタンを操作して係合部材と係止部材とを解除したことによって、本体から表示パネルが持ち上がった状態を示す断面図。
【符号の説明】
１…パーソナルコンピュータ（電子機器）、２…本体（第１筐体）、３…表示パネル（第２筐体）、４…ヒンジ、５…ラッチ機構、６…係合部材、７…係止部材、７ｂ…一端、７ｃ…他端、８…ボタン、９…押出部材、９ａ…天板、９ｂ…コイルばね、１０ａ…前面（外表面）、１２…回動シャフト、１３…ねじりコイルばね。
【図１】
2004234194.tif 000003
【図２】
2004234194.tif 000004
【図３】
2004234194.tif 000005
【図４】
2004234194.tif 000006